【手続補正書】
【提出日】平成18年1月19日(2006.1.19)
【手続補正１】
【補正対象書類名】明細書
【補正対象項目名】特許請求の範囲
【補正方法】変更
【補正の内容】
【特許請求の範囲】
【請求項１】  少なくとも供給ローラーによりトナー担持体上にトナーを供給する工程、該トナー担持体上のトナーをトナー塗布部材で押圧して所定の層厚でトナー担持体上にトナーを塗布すると共に、トナーを摩擦させて該トナーに電荷を付与する工程、潜像担持体に形成された静電荷潜像を該トナー担持体上に塗布されたトナーで非磁性１成分現像方式により現像し、現像画像を形成する工程、現像画像を転写材に転写する工程、転写された未定着の画像を定着する工程を有する画像形成方法において、
該トナーは、＜１＞平均１次粒径が８０ｎｍ〜８００ｎｍであるチタン、アルミ、亜鉛、ジルコニウムのいずれかの酸化物から選ばれる無機微粒子１、＜２＞平均１次粒径が８０ｎｍ未満のシリカ以外の無機微粒子２、及び、＜３＞平均１次粒径が３０ｎｍ未満のシリカ微粒子とトナー粒子を混合したトナーであって、
該トナーが、少なくとも結着樹脂、着色剤、ワックス成分及びオキシカルボン酸を含有するトナー粒子を有するトナーであって、
さらに、該トナーは、トナー１ｇ中からメタノールにより抽出されるオキシカルボン酸の重量をＡ（ｇ）、０．１ｍｏｌ／リットルの水酸化ナトリウム水溶液により抽出されるオキシカルボン酸の重量をＢ（ｇ）としたとき、
１．０５≦Ａ／Ｂ≦１．５０
０．１０×１０−３≦Ｂ≦２．００×１０−３
を満足することを特徴とする画像形成方法。
【請求項２】  前記オキシカルボン酸が、下記式（１）で示される化合物であることを特徴とする請求項１に記載の画像形成方法。
【化１】
2004226454.tif 000001
（上記式（１）中、（Ａ）は下記の群より選ばれ、Ｘ１は、水素原子、ナトリウム原子、カリウム原子、アンモニウム又は脂肪族アンモニウムを示す。）
【化２】
2004226454.tif 000002
（Ｒ１は、水素原子、又は、Ｃ１〜Ｃ１８のいずれかのアルキル基又はアルケニル基、アラルキル基、アルコキシ基、ハロゲン原子、ニトロ基、シアノ基、アミノ基、カルボキシル基、水酸基から選ばれる１つ、又は２つ以上の置換基を示す。）
【化３】
2004226454.tif 000003
（Ｒ２は、水素原子、又はアルキル基、アルコキシ基、ハロゲン原子、ニトロ基から選ばれる１つ、又は２つ以上の置換基を示す。）
【化４】
2004226454.tif 000004
（Ｒ３は、水素原子、Ｃ１〜Ｃ２２のいずれかのアルキル基又はアルケニル基を示す。）
【請求項３】  前記オキシカルボン酸が、下記式（２）で示される化合物であることを特徴とする請求項１に記載の画像形成方法。
【化５】
2004226454.tif 000005
（上記式（２）中、Ｘ２は、水素原子、ナトリウム原子、カリウム原子、アンモニウム又は脂肪族アンモニウムを示し、Ｒ４は、Ｃ１〜Ｃ２２のいずれかのアルキル基又はアルケニル基、アリール基を示し、Ｒ５は、水素原子、Ｃ１〜Ｃ２２のいずれかのアルキル基又はアルケニル基、アリール基、アルコキシ基を示す。）
【請求項４】  該トナー担持体の回転周速は、１００〜８００ｍｍ／ｓｅｃであることを特徴とする請求項１乃至３のいずれかに記載の画像形成方法。
【請求項５】  該トナー担持体の回転周速は、２００〜７００ｍｍ／ｓｅｃであることを特徴とする請求項１乃至３のいずれかに記載の画像形成方法。
【請求項６】  該トナー塗布部材は、トナー塗布ブレードであることを特徴とする請求項１乃至５のいずれかに記載の画像形成方法。
【請求項７】  該トナー塗布ブレードは、トナー担持体側表面にポリアミド含有ゴム層を有していることを特徴とする請求項６に記載の画像形成方法。
【請求項８】  該トナー塗布ブレードは、トナー担持体側表面にショアーＤ硬度２５度以上６５度以下のポリアミド含有ゴム層を有していることを特徴とする請求項６または７に記載の画像形成方法。
【請求項９】  該無機微粒子１の平均１次粒径が１００ｎｍ〜５００ｎｍであることを特徴とする請求項１乃至８のいずれかに記載の画像形成方法。
【請求項１０】  該無機微粒子１の帯電量が絶対値で１０ｍＣ／Ｋｇ以下であることを特徴とする請求項１乃至９のいずれかに記載の画像形成方法。
【請求項１１】  該無機微粒子１がチタン、アルミのいずれかの酸化物であることを特徴とする請求項１乃至１０のいずれかに記載の画像形成方法。
【請求項１２】  該無機微粒子２の平均１次粒径が７０ｎｍ以下であることを特徴とする請求項１乃至１１のいずれかに記載の画像形成方法。
【請求項１３】  該無機微粒子２がチタン、アルミのいずれかの酸化物であることを特徴とする請求項１乃至１２のいずれかに記載の画像形成方法。
【請求項１４】  該トナーの重量平均粒径が４μｍ〜８μｍであり、且つ、４μｍ以下の割合が３〜２０個数％であることを特徴とする請求項１乃至１３のいずれかに記載の画像形成方法。
【請求項１５】  該トナーの示唆熱分析で６０℃〜９０℃の間に少なくとも一つの吸熱ピークがあることを特徴とする請求項１乃至１４のいずれかに記載の画像形成方法。
【請求項１６】  該トナーが示唆熱分析での吸熱ピークの半値幅が１０℃以下であることを特徴とする請求項１乃至１５のいずれかに記載の画像形成方法。
【請求項１７】  該トナーが結着樹脂としてスチレン系ポリマーを含有するトナーを用いることを特徴とする請求項１乃至１６のいずれかに記載の画像形成方法。
【請求項１８】  該トナーのＧＰＣ測定でのピーク分子量が１５０００〜３００００であることを特徴とする請求項１乃至１７のいずれかに記載の画像形成方法。
【請求項１９】  該トナーの酸価が１０ｍｇＫＯＨ／ｇ以下であることを特徴とする請求項１乃至１８のいずれかに記載の画像形成方法。
【請求項２０】  該トナーの帯電量の絶対値が４０ｍＣ／Ｋｇ〜８０ｍＣ／Ｋｇであることを特徴とする請求項１乃至１９のいずれかに記載の画像形成方法。
【請求項２１】  該トナーの形状係数ＳＦ１が１００〜１７０であり、且つ、形状係数ＳＦ２が１００〜１４０であることを特徴とする請求項１乃至２０のいずれかに記載の画像形成方法。
【請求項２２】  該トナーの形状係数ＳＦ１が１００〜１２０であり、且つ、形状係数ＳＦ２が１００〜１１５であることを特徴とする請求項１乃至２０のいずれかに記載の画像形成方法。
【請求項２３】  該トナー粒子が、製造工程として少なくともモノマーと着色剤を含有する成分を造粒／重合する工程を経て製造されることを特徴とする請求項１乃至２２のいずれかに記載の画像形成方法。
【手続補正２】
【補正対象書類名】明細書
【補正対象項目名】００３０
【補正方法】変更
【補正の内容】
【００３０】
【課題を解決するための手段】
本発明は、少なくとも供給ローラーによりトナー担持体上にトナーを供給する工程、該トナー担持体上のトナーをトナー塗布ブレードで押圧して所定の層厚でトナー担持体上にトナーを塗布すると共に、トナーを摩擦させて該トナーに電荷を付与する工程、潜像担持体に形成された静電荷潜像を該トナー担持体上に塗布されたトナーで非磁性１成分現像方式により現像し、現像画像を形成する工程、現像画像を転写材に転写する工程、転写された未定着の画像を定着する工程を有する画像形成方法において、
該トナーは、＜１＞平均１次粒径が８０ｎｍ〜８００ｎｍであるチタン、アルミ、亜鉛、ジルコニウムのいずれかの酸化物から選ばれる無機微粒子１、＜２＞平均１次粒径が８０ｎｍ未満のシリカ以外の無機微粒子２、及び、＜３＞平均１次粒径が３０ｎｍ未満のシリカ微粒子とトナー粒子を混合したトナーであって、
該トナーが、少なくとも結着樹脂、着色剤、ワックス成分及びオキシカルボン酸を含有するトナー粒子を有するトナーであって、
さらに、該トナーは、トナー１ｇ中からメタノールにより抽出されるオキシカルボン酸の重量をＡ（ｇ）、０．１ｍｏｌ／リットルの水酸化ナトリウム水溶液により抽出されるオキシカルボン酸の重量をＢ（ｇ）としたとき、
１．０５≦Ａ／Ｂ≦１．５０
０．１０×１０−３≦Ｂ≦２．００×１０−３
を満足することを特徴とする画像形成方法に関する。